【手続補正書】
【提出日】平成26年5月19日(2014.5.19)
【手続補正１】
【補正対象書類名】特許請求の範囲
【補正対象項目名】全文
【補正方法】変更
【補正の内容】
【特許請求の範囲】
【請求項１】
動画像の各ピクチャを分割したブロック単位で動き補償予測を用いて符号化された符号列を復号する動画像復号装置であって、
復号対象ブロックの動き情報を導出する動き情報導出部と、
前記復号対象ブロックが所定サイズ以下の場合は、その所定サイズ以下の復号対象ブロックについて、前記導出された動き情報を変更する動き情報変更部と、
前記復号対象ブロックが前記所定サイズよりも大きい場合は、前記導出された動き情報を用いて動き補償予測により前記復号対象ブロックの予測信号を生成し、前記復号対象ブロックが前記所定サイズ以下の場合は、前記動き情報の変更の直後に、変更された動き情報を用いて動き補償予測により前記復号対象ブロックの予測信号を生成する予測信号生成部と
を備えることを特徴とする動画像復号装置。
【請求項２】
動画像の各ピクチャを分割したブロック単位で動き補償予測を用いて符号化された符号列を復号する動画像復号装置であって、
復号対象ブロックに空間的又は時間的に隣接するブロックの有する動き情報から導出した動き情報候補を登録した動き情報候補リストを生成する動き情報候補リスト生成部と、
前記動き情報候補リストに登録された前記動き情報候補の中から選択されるべき所定の動き情報を示すインデックスを復号する動き情報復号部と、
前記復号されたインデックスに基づいて、前記動き情報候補リストから前記所定の動き情報を選択し、前記復号対象ブロックが所定サイズ以下の場合は、その所定サイズ以下の復号対象ブロックについて、前記選択された前記所定の動き情報を変更する動き情報変更部と、
前記復号対象ブロックが前記所定サイズよりも大きい場合は、前記選択された前記所定の動き情報を用いて動き補償予測により前記復号対象ブロックの予測信号を生成し、前記復号対象ブロックが前記所定サイズ以下の場合は、前記動き情報の変更の直後に、変更された前記所定の動き情報を用いて、動き補償予測により前記復号対象ブロックの予測信号を生成する予測信号生成部と
を備えることを特徴とする動画像復号装置。
【請求項３】
前記動き情報変更部は、前記所定の動き情報の変更として、双予測情報を変更することを特徴とする請求項２に記載の動画像復号装置。
【請求項４】
前記動き情報変更部は、前記所定の動き情報の変更として、少なくとも予測種別を双予測から単予測に変更することを特徴とする請求項２に記載の動画像復号装置。
【請求項５】
動画像の各ピクチャを分割したブロック単位で動き補償予測を用いて符号化された符号列を復号する動画像復号方法であって、
復号対象ブロックの動き情報を導出する動き情報導出ステップと、
前記復号対象ブロックが所定サイズ以下の場合は、その所定サイズ以下の復号対象ブロックについて、前記導出された動き情報を変更する動き情報変更ステップと、
前記復号対象ブロックが前記所定サイズよりも大きい場合は、前記導出された動き情報を用いて動き補償予測により前記復号対象ブロックの予測信号を生成し、前記復号対象ブロックが前記所定サイズ以下の場合は、前記動き情報の変更の直後に、変更された動き情報を用いて、動き補償予測により前記復号対象ブロックの予測信号を生成する予測信号生成ステップと
を備えることを特徴とする動画像復号方法。
【請求項６】
動画像の各ピクチャを分割したブロック単位で動き補償予測を用いて符号化された符号列を復号する動画像復号方法であって、
復号対象ブロックに空間的又は時間的に隣接するブロックの有する動き情報から導出した動き情報候補を登録した動き情報候補リストを生成する動き情報候補リスト生成ステップと、
前記動き情報候補リストに登録された前記動き情報候補の中から選択されるべき所定の動き情報を示すインデックスを復号する動き情報復号ステップと、
前記復号されたインデックスに基づいて、前記動き情報候補リストから前記所定の動き情報を選択し、前記復号対象ブロックが所定サイズ以下の場合は、その所定サイズ以下の復号対象ブロックについて、前記選択された前記所定の動き情報を変更する動き情報変更ステップと、
前記復号対象ブロックが前記所定サイズよりも大きい場合は、前記選択された前記所定の動き情報を用いて動き補償予測により前記復号対象ブロックの予測信号を生成し、前記復号対象ブロックが前記所定サイズ以下の場合は、前記動き情報の変更の直後に、変更された前記所定の動き情報を用いて、動き補償予測により前記復号対象ブロックの予測信号を生成する予測信号生成ステップとを備えることを特徴とする動画像復号方法。
【請求項７】
動画像の各ピクチャを分割したブロック単位で動き補償予測を用いて符号化された符号列を復号する動画像復号プログラムであって、
復号対象ブロックの動き情報を導出する動き情報導出ステップと、
前記復号対象ブロックが所定サイズ以下の場合は、その所定サイズ以下の復号対象ブロックについて、前記導出された動き情報を変更する動き情報変更ステップと、
前記復号対象ブロックが前記所定サイズよりも大きい場合は、前記導出された動き情報を用いて、前記復号対象ブロックが前記所定サイズ以下の場合は、前記変更された動き情報を用いて、動き補償予測により前記復号対象ブロックの予測信号を生成する予測信号生成ステップと
をコンピュータに実行させることを特徴とする動画像復号プログラム。
【請求項８】
動画像の各ピクチャを分割したブロック単位で動き補償予測を用いて符号化された符号列を復号する動画像復号プログラムであって、
復号対象ブロックに空間的又は時間的に隣接するブロックの有する動き情報から導出した動き情報候補を登録した動き情報候補リストを生成する動き情報候補リスト生成ステップと、
前記動き情報候補リストに登録された前記動き情報候補の中から選択されるべき所定の動き情報を示すインデックスを復号する動き情報復号ステップと、
前記復号されたインデックスに基づいて、前記動き情報候補リストから前記所定の動き情報を選択し、前記復号対象ブロックが所定サイズ以下の場合は、その所定サイズ以下の復号対象ブロックについて、前記選択された前記所定の動き情報を変更する動き情報変更ステップと、
前記復号対象ブロックが前記所定サイズよりも大きい場合は、前記選択された前記所定の動き情報を用いて動き補償予測により前記復号対象ブロックの予測信号を生成し、前記復号対象ブロックが前記所定サイズ以下の場合は、前記動き情報の変更の直後に、変更された前記所定の動き情報を用いて、動き補償予測により前記復号対象ブロックの予測信号を生成する予測信号生成ステップと
をコンピュータに実行させることを特徴とする動画像復号プログラム。
【請求項９】
動画像が符号化された符号列を受信して復号する受信装置であって、
動画像の各ピクチャを分割したブロック単位で動き補償予測を用いて前記動画像が符号化された符号列がパケット化された符号化ストリームを受信する受信部と、
受信された前記パケット化された符号化ストリームをパケット処理して元の符号列を復元する復元部と、
復号対象ブロックの動き情報を導出する動き情報導出部と、
前記復号対象ブロックが所定サイズ以下の場合は、その所定サイズ以下の復号対象ブロックについて、前記導出された動き情報を変更する動き情報変更部と、
前記復号対象ブロックが前記所定サイズよりも大きい場合は、前記導出された動き情報を用いて動き補償予測により前記復号対象ブロックの予測信号を生成し、前記復号対象ブロックが前記所定サイズ以下の場合は、前記動き情報の変更の直後に、変更された動き情報を用いて、動き補償予測により前記復号対象ブロックの予測信号を生成する予測信号生成部と
を備えることを特徴とする受信装置。
【請求項１０】
動画像が符号化された符号列を受信して復号する受信装置であって、
動画像の各ピクチャを分割したブロック単位で動き補償予測を用いて前記動画像が符号化された符号列がパケット化された符号化ストリームを受信する受信部と、
受信された前記パケット化された符号化ストリームをパケット処理して元の符号列を復元する復元部と、
復号対象ブロックに空間的又は時間的に隣接するブロックの有する動き情報から導出した動き情報候補を登録した動き情報候補リストを生成する動き情報候補リスト生成部と、
復元された前記元の符号列から、前記動き情報候補リストに登録された前記動き情報候補の中から選択されるべき所定の動き情報を示すインデックスを復号する動き情報復号部と、
前記復号されたインデックスに基づいて、前記動き情報候補リストから前記所定の動き情報を選択し、前記復号対象ブロックが所定サイズ以下の場合は、その所定サイズ以下の復号対象ブロックについて、前記選択された前記所定の動き情報を変更する動き情報変更部と、
前記復号対象ブロックが前記所定サイズよりも大きい場合は、前記選択された前記所定の動き情報を用いて動き補償予測により前記復号対象ブロックの予測信号を生成し、前記復号対象ブロックが前記所定サイズ以下の場合は、前記動き情報の変更の直後に、変更された前記所定の動き情報を用いて、動き補償予測により前記復号対象ブロックの予測信号を生成する予測信号生成部と
を備えることを特徴とする受信装置。
【請求項１１】
動画像が符号化された符号列を受信して復号する受信方法であって、
動画像の各ピクチャを分割したブロック単位で動き補償予測を用いて前記動画像が符号化された符号列がパケット化された符号化ストリームを受信する受信ステップと、
受信された前記パケット化された符号化ストリームをパケット処理して元の符号列を復元する復元ステップと、
復号対象ブロックの動き情報を導出する動き情報導出ステップと、
前記復号対象ブロックが所定サイズ以下の場合は、その所定サイズ以下の復号対象ブロックについて、前記導出された動き情報を変更する動き情報変更ステップと、
前記復号対象ブロックが前記所定サイズよりも大きい場合は、前記導出された動き情報を用いて動き補償予測により前記復号対象ブロックの予測信号を生成し、前記復号対象ブロックが前記所定サイズ以下の場合は、前記動き情報の変更の直後に、変更された動き情報を用いて、動き補償予測により前記復号対象ブロックの予測信号を生成する予測信号生成ステップと
を備えることを特徴とする受信方法。
【請求項１２】
動画像が符号化された符号列を受信して復号する受信方法であって、
動画像の各ピクチャを分割したブロック単位で動き補償予測を用いて前記動画像が符号化された符号列がパケット化された符号化ストリームを受信する受信ステップと、
受信された前記パケット化された符号化ストリームをパケット処理して元の符号列を復元する復元ステップと、
復号対象ブロックに空間的又は時間的に隣接するブロックの有する動き情報から導出した動き情報候補を登録した動き情報候補リストを生成する動き情報候補リスト生成ステップと、
復元された前記元の符号列から、前記動き情報候補リストに登録された前記動き情報候補の中から選択されるべき所定の動き情報を示すインデックスを復号する動き情報復号ステップと、
前記復号されたインデックスに基づいて、前記動き情報候補リストから前記所定の動き情報を選択し、前記復号対象ブロックが所定サイズ以下の場合は、その所定サイズ以下の復号対象ブロックについて、前記選択された前記所定の動き情報を変更する動き情報変更ステップと、
前記復号対象ブロックが前記所定サイズよりも大きい場合は、前記選択された前記所定の動き情報を用いて動き補償予測により前記復号対象ブロックの予測信号を生成し、前記復号対象ブロックが前記所定サイズ以下の場合は、前記動き情報の変更の直後に、変更された前記所定の動き情報を用いて、動き補償予測により前記復号対象ブロックの予測信号を生成する予測信号生成ステップと
を備えることを特徴とする受信方法。
【請求項１３】
動画像が符号化された符号列を受信して復号する受信プログラムであって、
動画像の各ピクチャを分割したブロック単位で動き補償予測を用いて前記動画像が符号化された符号列がパケット化された符号化ストリームを受信する受信ステップと、
受信された前記パケット化された符号化ストリームをパケット処理して元の符号列を復元する復元ステップと、
復号対象ブロックの動き情報を導出する動き情報導出ステップと、
前記復号対象ブロックが所定サイズ以下の場合は、その所定サイズ以下の復号対象ブロックについて、前記導出された動き情報を変更する動き情報変更ステップと、
前記復号対象ブロックが前記所定サイズよりも大きい場合は、前記導出された動き情報を用いて、前記復号対象ブロックが前記所定サイズ以下の場合は、前記変更された動き情報を用いて、動き補償予測により前記復号対象ブロックの予測信号を生成する予測信号生成ステップと
をコンピュータに実行させることを特徴とする受信プログラム。
【請求項１４】
動画像が符号化された符号列を受信して復号する受信プログラムであって、
動画像の各ピクチャを分割したブロック単位で動き補償予測を用いて前記動画像が符号化された符号列がパケット化された符号化ストリームを受信する受信ステップと、
受信された前記パケット化された符号化ストリームをパケット処理して元の符号列を復元する復元ステップと、
復号対象ブロックに空間的又は時間的に隣接するブロックの有する動き情報から導出した動き情報候補を登録した動き情報候補リストを生成する動き情報候補リスト生成ステップと、
復元された前記元の符号列から、前記動き情報候補リストに登録された前記動き情報候補の中から選択されるべき所定の動き情報を示すインデックスを復号する動き情報復号ステップと、
前記復号されたインデックスに基づいて、前記動き情報候補リストから前記所定の動き情報を選択し、前記復号対象ブロックが所定サイズ以下の場合は、その所定サイズ以下の復号対象ブロックについて、前記選択された前記所定の動き情報を変更する動き情報変更ステップと、
前記復号対象ブロックが前記所定サイズよりも大きい場合は、前記選択された前記所定の動き情報を用いて動き補償予測により前記復号対象ブロックの予測信号を生成し、前記復号対象ブロックが前記所定サイズ以下の場合は、前記動き情報の変更の直後に、変更された前記所定の動き情報を用いて、動き補償予測により前記復号対象ブロックの予測信号を生成する予測信号生成ステップと
をコンピュータに実行させることを特徴とする受信プログラム。
【手続補正２】
【補正対象書類名】明細書
【補正対象項目名】０００９
【補正方法】変更
【補正の内容】
【０００９】
動画像の各ピクチャを分割したブロック単位で動き補償予測を用いて符号化された符号列を復号する動画像復号装置であって、復号対象ブロックの動き情報を導出する動き情報導出部と、前記復号対象ブロックが所定サイズ以下の場合は、その所定サイズ以下の復号対象ブロックについて、前記導出された動き情報を変更する動き情報変更部と、前記復号対象ブロックが前記所定サイズよりも大きい場合は、前記導出された動き情報を用いて動き補償予測により前記復号対象ブロックの予測信号を生成し、前記復号対象ブロックが前記所定サイズ以下の場合は、前記動き情報の変更の直後に、変更された動き情報を用いて動き補償予測により前記復号対象ブロックの予測信号を生成する予測信号生成部とを備えることを特徴とする動画像復号装置を提供する。
動画像の各ピクチャを分割したブロック単位で動き補償予測を用いて符号化された符号列を復号する動画像復号装置であって、復号対象ブロックに空間的又は時間的に隣接するブロックの有する動き情報から導出した動き情報候補を登録した動き情報候補リストを生成する動き情報候補リスト生成部と、前記動き情報候補リストに登録された前記動き情報候補の中から選択されるべき所定の動き情報を示すインデックスを復号する動き情報復号部と、前記復号されたインデックスに基づいて、前記動き情報候補リストから前記所定の動き情報を選択し、前記復号対象ブロックが所定サイズ以下の場合は、その所定サイズ以下の復号対象ブロックについて、前記選択された前記所定の動き情報を変更する動き情報変更部と、前記復号対象ブロックが前記所定サイズよりも大きい場合は、前記選択された前記所定の動き情報を用いて動き補償予測により前記復号対象ブロックの予測信号を生成し、前記復号対象ブロックが前記所定サイズ以下の場合は、前記動き情報の変更の直後に、変更された前記所定の動き情報を用いて、動き補償予測により前記復号対象ブロックの予測信号を生成する予測信号生成部とを備えることを特徴とする動画像復号装置を提供する。
動画像の各ピクチャを分割したブロック単位で動き補償予測を用いて符号化された符号列を復号する動画像復号方法であって、復号対象ブロックの動き情報を導出する動き情報導出ステップと、前記復号対象ブロックが所定サイズ以下の場合は、その所定サイズ以下の復号対象ブロックについて、前記導出された動き情報を変更する動き情報変更ステップと、前記復号対象ブロックが前記所定サイズよりも大きい場合は、前記導出された動き情報を用いて動き補償予測により前記復号対象ブロックの予測信号を生成し、前記復号対象ブロックが前記所定サイズ以下の場合は、前記動き情報の変更の直後に、変更された動き情報を用いて、動き補償予測により前記復号対象ブロックの予測信号を生成する予測信号生成ステップとを備えることを特徴とする動画像復号方法を提供する。
動画像の各ピクチャを分割したブロック単位で動き補償予測を用いて符号化された符号列を復号する動画像復号方法であって、復号対象ブロックに空間的又は時間的に隣接するブロックの有する動き情報から導出した動き情報候補を登録した動き情報候補リストを生成する動き情報候補リスト生成ステップと、前記動き情報候補リストに登録された前記動き情報候補の中から選択されるべき所定の動き情報を示すインデックスを復号する動き情報復号ステップと、前記復号されたインデックスに基づいて、前記動き情報候補リストから前記所定の動き情報を選択し、前記復号対象ブロックが所定サイズ以下の場合は、その所定サイズ以下の復号対象ブロックについて、前記選択された前記所定の動き情報を変更する動き情報変更ステップと、前記復号対象ブロックが前記所定サイズよりも大きい場合は、前記選択された前記所定の動き情報を用いて動き補償予測により前記復号対象ブロックの予測信号を生成し、前記復号対象ブロックが前記所定サイズ以下の場合は、前記動き情報の変更の直後に、変更された前記所定の動き情報を用いて、動き補償予測により前記復号対象ブロックの予測信号を生成する予測信号生成ステップとを備えることを特徴とする動画像復号方法を提供する。
動画像の各ピクチャを分割したブロック単位で動き補償予測を用いて符号化された符号列を復号する動画像復号プログラムであって、復号対象ブロックの動き情報を導出する動き情報導出ステップと、前記復号対象ブロックが所定サイズ以下の場合は、その所定サイズ以下の復号対象ブロックについて、前記導出された動き情報を変更する動き情報変更ステップと、前記復号対象ブロックが前記所定サイズよりも大きい場合は、前記導出された動き情報を用いて、前記復号対象ブロックが前記所定サイズ以下の場合は、前記変更された動き情報を用いて、動き補償予測により前記復号対象ブロックの予測信号を生成する予測信号生成ステップとをコンピュータに実行させることを特徴とする動画像復号プログラムを提供する。
動画像の各ピクチャを分割したブロック単位で動き補償予測を用いて符号化された符号列を復号する動画像復号プログラムであって、復号対象ブロックに空間的又は時間的に隣接するブロックの有する動き情報から導出した動き情報候補を登録した動き情報候補リストを生成する動き情報候補リスト生成ステップと、前記動き情報候補リストに登録された前記動き情報候補の中から選択されるべき所定の動き情報を示すインデックスを復号する動き情報復号ステップと、前記復号されたインデックスに基づいて、前記動き情報候補リストから前記所定の動き情報を選択し、前記復号対象ブロックが所定サイズ以下の場合は、その所定サイズ以下の復号対象ブロックについて、前記選択された前記所定の動き情報を変更する動き情報変更ステップと、前記復号対象ブロックが前記所定サイズよりも大きい場合は、前記選択された前記所定の動き情報を用いて動き補償予測により前記復号対象ブロックの予測信号を生成し、前記復号対象ブロックが前記所定サイズ以下の場合は、前記動き情報の変更の直後に、変更された前記所定の動き情報を用いて、動き補償予測により前記復号対象ブロックの予測信号を生成する予測信号生成ステップとをコンピュータに実行させることを特徴とする動画像復号プログラムを提供する。
動画像が符号化された符号列を受信して復号する受信装置であって、動画像の各ピクチャを分割したブロック単位で動き補償予測を用いて前記動画像が符号化された符号列がパケット化された符号化ストリームを受信する受信部と、受信された前記パケット化された符号化ストリームをパケット処理して元の符号列を復元する復元部と、復号対象ブロックの動き情報を導出する動き情報導出部と、前記復号対象ブロックが所定サイズ以下の場合は、その所定サイズ以下の復号対象ブロックについて、前記導出された動き情報を変更する動き情報変更部と、前記復号対象ブロックが前記所定サイズよりも大きい場合は、前記導出された動き情報を用いて動き補償予測により前記復号対象ブロックの予測信号を生成し、前記復号対象ブロックが前記所定サイズ以下の場合は、前記動き情報の変更の直後に、変更された動き情報を用いて、動き補償予測により前記復号対象ブロックの予測信号を生成する予測信号生成部とを備えることを特徴とする受信装置を提供する。
動画像が符号化された符号列を受信して復号する受信装置であって、動画像の各ピクチャを分割したブロック単位で動き補償予測を用いて前記動画像が符号化された符号列がパケット化された符号化ストリームを受信する受信部と、受信された前記パケット化された符号化ストリームをパケット処理して元の符号列を復元する復元部と、復号対象ブロックに空間的又は時間的に隣接するブロックの有する動き情報から導出した動き情報候補を登録した動き情報候補リストを生成する動き情報候補リスト生成部と、復元された前記元の符号列から、前記動き情報候補リストに登録された前記動き情報候補の中から選択されるべき所定の動き情報を示すインデックスを復号する動き情報復号部と、前記復号されたインデックスに基づいて、前記動き情報候補リストから前記所定の動き情報を選択し、前記復号対象ブロックが所定サイズ以下の場合は、その所定サイズ以下の復号対象ブロックについて、前記選択された前記所定の動き情報を変更する動き情報変更部と、前記復号対象ブロックが前記所定サイズよりも大きい場合は、前記選択された前記所定の動き情報を用いて動き補償予測により前記復号対象ブロックの予測信号を生成し、前記復号対象ブロックが前記所定サイズ以下の場合は、前記動き情報の変更の直後に、変更された前記所定の動き情報を用いて、動き補償予測により前記復号対象ブロックの予測信号を生成する予測信号生成部とを備えることを特徴とする受信装置を提供する。
動画像が符号化された符号列を受信して復号する受信方法であって、動画像の各ピクチャを分割したブロック単位で動き補償予測を用いて前記動画像が符号化された符号列がパケット化された符号化ストリームを受信する受信ステップと、受信された前記パケット化された符号化ストリームをパケット処理して元の符号列を復元する復元ステップと、復号対象ブロックの動き情報を導出する動き情報導出ステップと、前記復号対象ブロックが所定サイズ以下の場合は、その所定サイズ以下の復号対象ブロックについて、前記導出された動き情報を変更する動き情報変更ステップと、前記復号対象ブロックが前記所定サイズよりも大きい場合は、前記導出された動き情報を用いて動き補償予測により前記復号対象ブロックの予測信号を生成し、前記復号対象ブロックが前記所定サイズ以下の場合は、前記動き情報の変更の直後に、変更された動き情報を用いて、動き補償予測により前記復号対象ブロックの予測信号を生成する予測信号生成ステップとを備えることを特徴とする受信方法を提供する。
動画像が符号化された符号列を受信して復号する受信方法であって、動画像の各ピクチャを分割したブロック単位で動き補償予測を用いて前記動画像が符号化された符号列がパケット化された符号化ストリームを受信する受信ステップと、受信された前記パケット化された符号化ストリームをパケット処理して元の符号列を復元する復元ステップと、復号対象ブロックに空間的又は時間的に隣接するブロックの有する動き情報から導出した動き情報候補を登録した動き情報候補リストを生成する動き情報候補リスト生成ステップと、復元された前記元の符号列から、前記動き情報候補リストに登録された前記動き情報候補の中から選択されるべき所定の動き情報を示すインデックスを復号する動き情報復号ステップと、前記復号されたインデックスに基づいて、前記動き情報候補リストから前記所定の動き情報を選択し、前記復号対象ブロックが所定サイズ以下の場合は、その所定サイズ以下の復号対象ブロックについて、前記選択された前記所定の動き情報を変更する動き情報変更ステップと、前記復号対象ブロックが前記所定サイズよりも大きい場合は、前記選択された前記所定の動き情報を用いて動き補償予測により前記復号対象ブロックの予測信号を生成し、前記復号対象ブロックが前記所定サイズ以下の場合は、前記動き情報の変更の直後に、変更された前記所定の動き情報を用いて、動き補償予測により前記復号対象ブロックの予測信号を生成する予測信号生成ステップとを備えることを特徴とする受信方法を提供する。
動画像が符号化された符号列を受信して復号する受信プログラムであって、動画像の各ピクチャを分割したブロック単位で動き補償予測を用いて前記動画像が符号化された符号列がパケット化された符号化ストリームを受信する受信ステップと、受信された前記パケット化された符号化ストリームをパケット処理して元の符号列を復元する復元ステップと、復号対象ブロックの動き情報を導出する動き情報導出ステップと、前記復号対象ブロックが所定サイズ以下の場合は、その所定サイズ以下の復号対象ブロックについて、前記導出された動き情報を変更する動き情報変更ステップと、前記復号対象ブロックが前記所定サイズよりも大きい場合は、前記導出された動き情報を用いて、前記復号対象ブロックが前記所定サイズ以下の場合は、前記変更された動き情報を用いて、動き補償予測により前記復号対象ブロックの予測信号を生成する予測信号生成ステップとをコンピュータに実行させることを特徴とする受信プログラムを提供する。
動画像が符号化された符号列を受信して復号する受信プログラムであって、動画像の各ピクチャを分割したブロック単位で動き補償予測を用いて前記動画像が符号化された符号列がパケット化された符号化ストリームを受信する受信ステップと、受信された前記パケット化された符号化ストリームをパケット処理して元の符号列を復元する復元ステップと、復号対象ブロックに空間的又は時間的に隣接するブロックの有する動き情報から導出した動き情報候補を登録した動き情報候補リストを生成する動き情報候補リスト生成ステップと、復元された前記元の符号列から、前記動き情報候補リストに登録された前記動き情報候補の中から選択されるべき所定の動き情報を示すインデックスを復号する動き情報復号ステップと、前記復号されたインデックスに基づいて、前記動き情報候補リストから前記所定の動き情報を選択し、前記復号対象ブロックが所定サイズ以下の場合は、その所定サイズ以下の復号対象ブロックについて、前記選択された前記所定の動き情報を変更する動き情報変更ステップと、前記復号対象ブロックが前記所定サイズよりも大きい場合は、前記選択された前記所定の動き情報を用いて動き補償予測により前記復号対象ブロックの予測信号を生成し、前記復号対象ブロックが前記所定サイズ以下の場合は、前記動き情報の変更の直後に、変更された前記所定の動き情報を用いて、動き補償予測により前記復号対象ブロックの予測信号を生成する予測信号生成ステップとをコンピュータに実行させることを特徴とする受信プログラムを提供する。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】